(57)【要約】【課題】カーテンを垂下した際に安定性がよい横型ブラインドを提供する。【解決手段】ブラインド構造１０およびカーテン２０を備える。ブラインド構造１０は上枠１１と、下枠１２と、複数のスラット１３と、上枠１１、下枠１２およびスラット１３を連結するとともにスラット１３を上枠１１および下枠１２の間に位置させるコード部材１４とを有する。カーテン２０は、対応するスラット１３上にそれぞれ連結され、少なくとも一側辺がスラット１３から外へ垂下している。カーテン２０を垂下した側辺にはカーテン２０の垂下効果を安定させるために少なくとも１つの重り用部材３０が設けられている。【選択図】　　図４
2004011331.tif 000002
【特許請求の範囲】
【請求項１】
主に上枠、下枠、複数のスラット、該上枠、該下枠および該スラットを連結するとともに該スラットを該上枠と該下枠の間に位置させるコード部材からなるブラインド構造と、
対応するスラット上に連結され、少なくとも一側辺が該スラットの外から垂下している複数のカーテンと、
を備えた横型ブラインドにおいて、
該各カーテンの垂下した側辺上にカーテンの垂下を安定させる少なくとも１つの重り用部材があることを特徴とする横型ブラインド。
【請求項２】
前記カーテンには前記スラットと連結させるための相対する第１の側辺と第２の側辺、および重り用部材を設置させてスラットの外に垂下させるための相対する第３の側辺と第４の側辺が備わっていることを特徴とする請求項１に記載の横型ブラインド。
【請求項３】
前記カーテンの第１の側辺と第２の側辺には前記スラットの両端を挿置する挿置空間が形成され、その挿置空間内で前記カーテンと前記スラットとの間が連結されていることを特徴とする請求項２に記載の横型ブラインド。
【請求項４】
前記第１の側辺および第２の側辺はそれぞれ内側に折り曲げられてその外側を縫い合わされ、前記第１の側辺と第２の側辺の中段に未縫合の前記挿置空間が形成されることを特徴とする請求項３に記載の横型ブラインド。
【請求項５】
前記カーテンの垂下した側辺の末端に、前記重り用部材を収容する少なくとも１つの収容空間が形成されることを特徴とする請求項１に記載の横型ブラインド。
【請求項６】
前記収容空間の深度はカーテンの垂下した側辺の長さに等しく、前記重り用部材は長さが前記収容空間と等しい棒体であることを特徴とする請求項５に記載の横型ブラインド。
【請求項７】
前記収容空間は重り用部材を挿入させるための外と連通する通口を形成していることを特徴とする請求項５に記載の横型ブラインド。
【請求項８】
前記カーテンの側辺に垂下する長さは、少なくとも垂下起点から次のカーテンに設置されるスラットまでの距離より大きいことを特徴とする請求項１に記載の横型ブラインド。
【請求項９】
前記カーテン上に前記コード部材に対応する位置に穿孔を形成して、前記コード部材をその中に挿置することを特徴とする請求項１に記載の横型ブラインド。
【発明の詳細な説明】
【０００１】
【発明の属する技術分野】
本発明は、横型ブラインドに関する。
【０００２】
【従来の技術】
一般的な横型ブラインドの遮光効果をさらに高め、また全体的な美観を相応に増すことを目的に、本発明人はこれまでに多種多様な横型ブラインドにカーテンを組み合わせた改良型構造を開発し、カーテンとブラインドスラットとを組み合わせることにより、遮光性を高めるとともにカーテンの柔らかな質感によって全体の美観を向上させてきた。
【０００３】
【発明が解決しようとする課題】
しかし本発明人は研究を続けるなかで、前記発明にはまだ設計上の課題が残っており、使用に際して不便があり、製品の特性が完全に生かされず、その課題のほとんどがブラインドスラットを引上げた際に、カーテンがスラットとスラットの間に挟まれるという状況が発生し、カーテンが引上げ時にきれいに平らにならず、バランス性が損なわれるほか、カーテンが挟まれて折り曲がると折癖がつき、元来の美観向上という効果が大きく損なわれるということに気づいた。また現在市販されているブラインドカーテンは長期的使用や日照りによって、カーテンの周辺が極めて反り返りやすく、全体の美観が失われるだけでなく、遮光効果が大きく減退することもわかった。
【０００４】
上記の課題に鑑み、本発明人は思索を重ね、また多年にわたってブラインドの製造と開発に従事した経験から最終的に本発明を創出した。
本発明の主たる目的は、カーテンを垂下した際に安定性がよい横型ブラインドを提供することである。
【０００５】
本発明の次なる目的は、スラットを引上げた際にカーテンが挟まれる状況を回避できる横型ブラインドを提供することである。
本発明のさらなる目的は、カーテンの周辺に反り返りが発生しない横型ブラインドを提供することである。
【０００６】
【課題を解決するための手段】
上記目的に基づき、本発明の請求項記載の横型ブラインドには、主に上枠、下枠、複数のスラット、該上枠、下枠およびスラットを連結するとともに各スラットを上枠と下枠との間に位置させるコード部材で構成されるブラインド構造と、対応するスラット上にそれぞれ連結され、その少なくとも一側辺が該スラットから外へ垂下している若干のカーテンとが備わっており、該カーテンを垂下した側辺にはカーテンの垂下効果を安定させるために少なくとも１つの重り用部材があることを特徴としている。
【０００７】
【発明の実施の形態】
本発明の実施の形態を実施例に基づき図面を参照して説明する。
図１から図５を参照すると、本発明の第１実施例で提供した横型ブラインド１００は主に、ブラインド構造１０、複数のカーテン２０、若干数の重り用部材３０を有している。
【０００８】
図１および図４に示す如く、該ブラインド構造１０は上枠１１、下枠１２、複数のスラット１３およびコード部材１４を備えており、該上枠１１が窓口の上方に固設され、該下枠１２が該上枠１１の下方に設置され、該各スラット１３が該上枠１１と該下枠１２との間に位置しており、該コード部材１４が該各スラット１３、上枠１１および下枠１２の３つを連結して、該上枠１１、下枠１２および各スラット１３を所定の形態で暫定的に固定させるとともに、該コード部材１４を作動することにより該下枠１２および該各スラット１３を連動させて、引上げたり、引下げたりまたは所定位置において暫定的に止めたりできる。
前記構造は従来技術に属するので、ここでは詳述を避ける。
【０００９】
次に、図１〜３に示すごとく、該カーテン２０の数は該ブラインド構造１０のスラット１３の数の半分であり、該カーテン２０は絹、麻、綿、ナイロンといった材質の一つからなる布面２１を有し、該布面２１の該コード部材１４に対応する位置に該コード部材を穿設する穿孔２２を設け（図２Ａ参照）、該布面２１はさらに、互いに相対する第１側辺２１ａと第２側辺２１ｂ、および互いに相対する第３側辺２１ｃと第４側辺２１ｄを定めており、該第１側辺２１ａと該第２側辺２１ｂの周縁をそれぞれまず内側に所定の距離だけ折り曲げてから、その周縁の２つの側をそれぞれ縫い合わせて、未縫合の箇所（即ち周縁の中段部分）にそれぞれ挿置空間２３を自然形成させ（図２Ｂ参照）、該２つの挿置空間２３の間の距離は、該スラット１３の長軸方向の距離にほぼ等しく、また該挿置空間２３の幅は、スラット１３の短軸方向の距離にほぼ等しく、さらに該布面２１の第３側辺２１ｃおよび第４側辺２１ｂの周縁末端は、それぞれ内側に所定距離だけ折り曲げてから全段を縫い合わせて、第３側辺および第４側辺２１ｃ、２１ｄの周縁末端に収容空間２４を形成させ（図２Ｃ参照）、該収容空間２４の深度を該スラット１３の長さ（長軸方向の長さ）とほぼ等しくし、且つ該収容空間２４の少なくとも一端には外に通じている通口２５を形成させる。
【００１０】
図３に示すように、該各重り用部材３０は一定質量のある長い棒体であって、該棒体の長さと該カーテン２０の収容空間２４の深度はほぼ同じであり、即ち該スラット１３の長軸方向の長さにほぼ等しく、該カーテン２０の通口２５から挿入させて各収容空間２４中に設置し、該カーテン２０の第３、第４側辺２１ｃ、２１ｄにもその周縁と同じ長さの重り用部材３０を設置する。
【００１１】
上記が即ち本発明の第１実施例の各構成部材の説明であり、続けてその組立方法および各部材間の位置関係を以下に説明する。
まず該ブランド構造１０を組み立てる前に、該コード部材１４を該各カーテン２０の穿孔２２中に挿置するとともに、該各カーテン２０を順次上から下へと奇数のスラット１３（上から下に向かって第１、第３、第５…のスラット）上に置き、且つ奇数のスラット１３の両端をそれぞれ該カーテン２０の第１側辺２１ａと第２側辺２１ｂに形成された挿置空間２３に嵌め込み、該各布面２１が該挿置空間２３と各スラット１３両端の嵌合により、該スラット１３上に位置定めされ、さらに該布面２１の第３側辺２１ｃと第４側辺２１ｄが重り用部材３０の重力によってスラット１３の側縁から外に下向きに自然に垂下し、且つ該各スラット１３が水平状態にあるときに、該カーテン２０の第３側辺２１ｃと第４側辺２１ｄの垂下する長さが、それぞれ少なくとも垂下起点から次のカーテン２０に設置されたスラットまでの距離より大きく、本実施例においては、該カーテン２０の第３、第４側辺２１ｃ、２１ｄの垂下距離は、３つのスラット１３間の長さより大きく（第１スラット１３上の布面２１について言えば、その第３、第４側辺２１ｃ、２１ｄの垂下長さは第３のスラット１３を若干超える位置までである）、該布面２１の第３、第４側辺２１ｃ、２１ｄはその重り用部材３０の重量によって下向きに引っ張られるとともに、比較的に安定した状態で垂下することができる。これにより図４に示すように、カーテン２０の垂下部分によってスラット１３とスラット１３の間の空隙を遮蔽して光の進入を防ぐことができるほか、カーテン２０に配置した重り用部材３０によって、カーテン２０の垂下部分がさらに安定し、風に影響されてなびくという状況が起こりにくくなり、且つそのスラット１３の両側にはいずれも垂下した布面２１があって遮光できるので、遮光効果に優れているほか、全体のバランス性もよく、また重り用部材３０の長さがそれぞれ布面２１の第３、第４側辺２１ｃ、２１ｄの長さに等しいため、重り用部材３０の重量が平均的にカーテン２０の側辺末端にかかり、全体の安定性がさらに向上する。
【００１２】
こうして重り用部材３０を設置することで、該コード部材１４によって該スラット１３と下枠１２を上に引いて収納する際に、該スラット１３間の距離が変動縮小し、該距離が変動する過程で、該カーテン２０の第３、第４側辺２１ｃ、２１ｄ末端が次のスラット１３の外側に安定的に置かれるため、カーテン２０は風力、変動力の影響を受けて容易にスラットの間に挟まって折れることがなくなり、自然な積層状態を形成することができる（図５参照）。
【００１３】
また、該上枠１１にはカーテン２０が垂下した側または／および他方の側の外側に、装飾用カーテン２６によるカバーを設けて不自然な感じのする上枠１１および上枠１１から次のスラット１３までの間隙を同時に遮蔽することができ（図６参照）、布製の材質による全体の美観を向上させた設計を生かすことができ、且つ該装飾用カーテン２６にも重り用部材３０を同じように設置できる。
【００１４】
次に該ブラインド構造は、コードが露出したブラインドや（コード部材に露出したコードを具備させる）、またはコードが露出しないブラインド（コード部材に露出したコードを具備させない）にすることができ、いずれも本発明に適用される特徴である。
【００１５】
以上が、本発明の第１実施例が提供する横型ブラインドの各部材と組立方法であるが、続けてその長所を以下に詳述する。
（１）スラットの収納状態がよい
各スラットのカーテン上に一定重量のある重り用部材を備えているため、カーテンが安定的かつ自然に垂下する状態になり、スラットの収納時にカーテンが軽すぎて動きスラットの間に挟まるということがなく、カーテンが圧されて折癖が生じる現象が起こりにくくなる。
（２）カーテンの反り返りが回避できる
カーテンを垂下した周縁に一定重量の重り用部材を設置しているので、重り用部材の重量が該カーテンを適度に下に引張り、カーテンの垂下が安定するだけでなく、カーテンの周縁が陽に照らされて反り返るのを回避でき、カーテンの使用寿命が伸びるほか、全体の美観をさらに増すことができる。
【００１６】
図７は、本発明の第２実施例が提供する横型ブラインド２００であって、上記実施例と同様にブラインド構造１０、複数のカーテン４０および若干個の重り用部材３０を開示しているが、上記実施例との主な相違点は次の通りである。
【００１７】
該カーテン４０は一側辺のみ（上記実施例の第３の側辺または第４の側辺のいずれか１つ）が該スラット１３の外に垂下しており、従って垂下した一側辺のみに重り用部材３０が設置されており、同様に遮光効果を達成できるほか、カーテン４０の材料および必要な重り用部材３０の数量を節約でき、コストを削減できる。
【００１８】
図８は、本発明の第３実施例が提供する横型ブラインド３００であって、第１実施例と同様のブラインド構造１０、複数のカーテン５０および若干個の重り用部材３０を開示しているが、主な相違点は次の通りである。
【００１９】
該カーテン５０の数量と該スラット１３の数量が等しく、該カーテン５０をそれぞれ該スラット１３に嵌め込んで設置でき、各スラット１３のいずれもに垂下した布面５１と布面５１に取り付けた重り用部材３０とを具備させ、且つ各カーテン５０の垂下長さは次のスラット１３までの距離よりやや大きいため、各カーテン５０はいずれも次のスラット１３までの空隙を遮蔽できる。
【００２０】
もちろん図９の本発明の第４実施例のように、カーテン５０’の垂下する側辺の長さを長くして遮蔽できる長さをスラット４片または５、６、７…片に増やしてもよく、カーテン５０’が遮蔽する長さが増すために、取り付けるカーテン５０’の数を適宜減らすことができる。
【００２１】
図１０は、本発明の第５実施例が提供する横型ブラインド４００であって、第１実施例と同様にブラインド構造（図では未表示）、複数のカーテン６０、若干個の重り用部材７０を備えているが、第１実施例との相違点は次の通りである。
【００２２】
該カーテン６０の布面６１の第３、第４の側辺６１ｄ、６１ｃの末端周縁にそれぞれ２つの収容空間６４ａ、６４ｂを形成し、該２つの収容空間６４ａ、６４ｂがそれぞれ布面６１周縁の両外側にあり且つ連通していない状態にする。
該各重り用部材７０は長さを該収容空間６４ａ、６４ｂの深度にほぼ等しくし、それぞれ該収容空間６４ａ、６４ｂ中に挿置する。
【００２３】
ここで特に説明すべきは、本発明におけるカーテンは挿置空間を設置しなくてもよく、該布面上の穿孔周縁で該コード部材を適度に位置限定させれば、該カーテンと該スラットを同様に連結させることができる。
さらに、両面テープ、マジックテープ（登録商標）、粘着テープなど接着材を用いて、カーテンとスラットの間をしっかりと接着させることもできる。
【００２４】
図１１は本発明の第６実施例であり、カーテン８０上に複数のそれぞれ各スラット（図では未表示）と対応する収容空間８４を設けて重り用部材を挿置させ、全体の美観を向上させることもできる。
このほか、カーテンの収容空間を縫い合わせる前に重り用部材をカーテンの周縁に配置し、その後で縫い合わせるようにすれば、重り用部材が同様に該カーテンに取り付けられ、通口を設けなくてもよくなる。
【図面の簡単な説明】
【図１】本発明の第１実施例による横型ブラインドを示す分解図である。
【図２】本発明の第１実施例におけるカーテンの製作フロー図Ａ，Ｂ，Ｃである。
【図３】本発明の第１実施例におけるカーテンの一部を示す分拡大分解図である。
【図４】本発明の第１実施例による横型ブラインドを示す組立図である。
【図５】本発明の第１実施例におけるブラインドの収納時の側面図である。
【図６】本発明の第１実施例による横型ブラインドにおいて、装飾用カーテンを加設したときの立体図である。
【図７】本発明の第２実施例による横型ブラインドを示す分解図である。
【図８】本発明の第３実施例による横型ブラインドを示す分解図である。
【図９】本発明の第４実施例による横型ブラインドを示す組立図である。
【図１０】本発明の第５実施例による横型ブラインドの構成部材の一部を示す立体図である。
【図１１】本発明の第６実施例による横型ブラインドの構成部材の一部を示す立体図である。
【符号の説明】
１０　　　ブラインド構造
１１　　　上枠
１２　　　下枠
１３　　　スラット
１４　　　コード部材
２０，４０，５０，５０’，６０，８０　　　カーテン
３０，７０　　　重り用部材
１００，２００，３００，４００　　　横型ブラインド
【図１】
2004011331.tif 000003
【図２】
2004011331.tif 000004
【図３】
2004011331.tif 000005
【図４】
2004011331.tif 000006
【図５】
2004011331.tif 000007
【図６】
2004011331.tif 000008
【図７】
2004011331.tif 000009
【図８】
2004011331.tif 000010
【図９】
2004011331.tif 000011
【図１０】
2004011331.tif 000012
【図１１】
2004011331.tif 000013